(57)【特許請求の範囲】
【請求項１】
有底筒状に構成されて内部に液状化粧料を収容し一方端に開口部を有する容器本体と、前記容器本体の前記一方端に着脱可能に装着されるキャップ及び当該キャップに連結された軸部並びに当該軸部の先端の塗布部を有する塗布具と、を備え、前記塗布具の前記キャップを、前記容器本体の前記一方端に装着すると、前記塗布具の前記塗布部が前記容器本体内に進入し前記液状化粧料に浸漬する液状化粧料容器であって、
前記キャップ及び前記一方端は、前記キャップを軸線方向に押し込むことにより前記一方端に対して軸線方向に着脱可能に係合する係合部をそれぞれ備え、
前記塗布部は湾曲し、
前記容器本体は、前記塗布部を収容可能に湾曲し、
前記容器本体の前記開口部の内周側に設けられ、前記キャップを前記一方端に装着する際に、前記塗布具の前記塗布部が通る掻き取り孔を有する掻き取り部を備え、
前記塗布部の横断面外周形状及び前記掻き取り孔を形成する前記掻き取り部の内周形状は、それぞれ非円形の形状を有すると共に、互いに相似形を成し、且つ、前記非円形形状は、前記非円形形状同士を軸線周り回転方向に合わせる際に、軸線周り回転方向の一の向きしか合わない形状であり、
湾曲した前記塗布部の平面視の向きと、湾曲した前記容器本体の平面視の向きとが合ったときに、一の向きしか合わない前記非円形形状同士が合うことを特徴とする液状化粧料容器。
【請求項２】
前記軸部は湾曲し、
前記塗布部は、前記軸部の湾曲形状がそのまま続くように湾曲していることを特徴とする請求項１記載の液状化粧料容器。
【発明の詳細な説明】
【技術分野】
【０００１】
本発明は、液状化粧料容器に関する。
【背景技術】
【０００２】
従来、マスカラの塗布がしやすく且つ多量のマスカラを保持する効果が高い塗布具、及び、この塗布具を収容するマスカラ容器として、以下の特許文献１に記載のものが知られている。この特許文献１にあっては、塗布具は、弓なりに湾曲するブラシ部と、ブラシ部を支持する支持棒と、を備える。ブラシ部は、針状突起を配列し弓なりに湾曲した塗布域と、この塗布域に連なり、その上部が支持棒の先端部に外嵌合する連結域と、を有し、この連結域のうち、塗布域と支持棒の先端部との間が緩衝域とされ、この緩衝域は、塗布域の湾曲する突出方向と逆向きに屈折する（塗布域の湾曲がそのまま続かずに折れ曲がる）構成となっている。支持棒の後端部は、スクリューキャップに内嵌合し、これにより、塗布具はスクリューキャップと一体化されている。マスカラ容器は、有底円筒状を呈しマスカラが充填されたボトルと、ボトルの口部に螺合により着脱可能に取り付けられる上記スクリューキャップと、を備えて構成される。そして、ブラシ部を口部を通してボトル内に進入させボトル内のマスカラに浸漬させながら、スクリューキャップを回転することにより、スクリューキャップをボトルの口部に螺合させ装着させてマスカラ容器が構成される。
【０００３】
このマスカラ容器では、ブラシ部の塗布域が弓なりに湾曲しているものの、ブラシ部の塗布域より上部の緩衝域が、塗布域の湾曲する突出方向と逆向きに屈折し、ブラシ部の先端が、ほぼ支持棒の想定軸線上（支持棒の軸を延長した軸上）に位置する構成のため、スクリューキャップを回転させても、弓なりに湾曲するブラシ部が、有底円筒状のボトルの内面に接触することなく回転できるようになっている。
【先行技術文献】
【特許文献】
【０００４】
【特許文献１】特開２００６−２７１４７７号公報
【発明の概要】
【発明が解決しようとする課題】
【０００５】
ここで、上記マスカラ容器は、弓なりに湾曲するブラシ部の塗布域によって、マスカラの塗布がしやすく且つ多量のマスカラを保持する効果が高いとされているものであるが、市販されている一般のマスカラ容器とほぼ同様な形状で目新しさのない外観である。従って、新規な造形を提供し、目新しさによるアイキャッチ効果（人目を引く効果）を高めることにより、販売の促進に繋げる検討がなされている。
【０００６】
そこで、本発明は、アイキャッチ効果が高いマスカラ容器を始めとした液状化粧料容器を提供することを目的とする。
【課題を解決するための手段】
【０００７】
本発明による液状化粧料容器は、有底筒状に構成されて内部に液状化粧料を収容し一方端に開口部を有する容器本体と、容器本体の一方端に着脱可能に装着されるキャップ及び当該キャップに連結された軸部並びに当該軸部の先端の塗布部を有する塗布具と、を備え、塗布具のキャップを、容器本体の一方端に装着すると、塗布具の塗布部が容器本体内に進入し液状化粧料に浸漬する液状化粧料容器であって、キャップ及び一方端は、キャップを軸線方向に押し込むことにより一方端に対して軸線方向に着脱可能に係合する係合部をそれぞれ備え、塗布部は湾曲し、容器本体は、塗布部を収容可能に湾曲し、容器本体の開口部の内周側に設けられ、キャップを一方端に装着する際に、塗布具の塗布部が通る掻き取り孔を有する掻き取り部を備え、塗布部の横断面外周形状及び掻き取り孔を形成する掻き取り部の内周形状は、それぞれ非円形の形状を有すると共に、互いに相似形を成し、且つ、非円形形状は、非円形形状同士を軸線周り回転方向に合わせる際に、軸線周り回転方向の一の向きしか合わない形状であり、湾曲した塗布部の平面視の向きと、湾曲した容器本体の平面視の向きとが合ったときに、一の向きしか合わない非円形形状同士が合うことを特徴としている。
【０００８】
このような液状化粧料容器によれば、キャップを容器本体の一方端に対して着脱するにあたって、キャップを、回転させることなく、押し込み／引き抜いて一方端との軸線方向の係合／解除を行う構成のため、湾曲した塗布部を、湾曲した容器本体内において進退させることができ、収容させることができる。このように湾曲した塗布部を収容する容器本体が、湾曲する形状のため、今までに見たことのない外観を呈し、アイキャッチ効果を高めることができる。また、一の向きでしか合わない塗布部の非円形の外周形状と掻き取り孔を形成する掻き取り部の非円形の内周形状とが、合った状態においては、塗布部を掻き取り孔に無理なく通すことができ、従って、塗布部を掻き取り孔に通すことによって、キャップを一方端に対して軸線周り回転方向に容易に位置決めできる。この状態で、湾曲した塗布部の平面視の向きと、湾曲した容器本体の平面視の向きとが合っていることから、湾曲した塗布部を、湾曲した容器本体内に容易且つ確実に進入させ、収容させることができる。また、上述のように、非円形形状同士が合った状態で、塗布部を掻き取り孔に対して通過させるため、掻き取り部の内周全体を塗布部の外周全体に一様に押し当てることができ、塗布部に付着した余分な液状化粧料を均等に掻き取り、液状化粧料の付着ムラをなくすことができる。
【０００９】
ここで、軸部は湾曲し、塗布部は、軸部の湾曲形状がそのまま続くように湾曲していると、軸部及び塗布部によって大きい湾曲を形成でき、把持部としてのキャップを持つ手が、従来（特開２００６−２７１４７７号公報）のようなブラシ部のほぼ延長線上に位置しブラシ部とほぼ同じ高さに位置する場合に比して、下方に位置することになり、鏡を見ながらの塗布が容易となる。
【発明の効果】
【００１２】
このように本発明によれば、アイキャッチ効果が高い液状化粧料容器を提供することができる。
【図面の簡単な説明】
【００１３】
【図１】本発明の実施形態に係る液状化粧料容器の外観を示す正面図である。
【図２】図１に示す液状化粧料容器の平面図である。
【図３】図１に示す液状化粧料容器の縦断面図である。
【図４】図３のIV-IV矢視図である。
【図５】図１〜図４中の容器本体を示す正面図である。
【図６】図１〜図４中の塗布具を示す正面図である。
【図７】図３のVII-VII矢視図である。
【図８】図３のVIII-VIII矢視図である。
【図９】図３中の掻き取り部材を示す正面図である。
【図１０】図９に示す掻き取り部材の下面図である。
【発明を実施するための形態】
【００１４】
以下、本発明による液状化粧料容器の好適な実施形態について図１〜図１０を参照しながら説明する。図１は、本発明の実施形態に係る液状化粧料容器の外観正面図、図２は、図１の平面図、図３及び図４は、液状化粧料容器の各縦断面図、図５は、容器本体を示す図、図６は、塗布具を示す図、図７及び図８は、図３のVII-VII、VIII-VIII各矢視図、図９及び図１０は、掻き取り部材を示す各図であり、本実施形態の液状化粧料容器は、使用者により液状化粧料を被塗布部に塗布するときに用いられるものである。液状化粧料は、ここでは、特に好適であるとして、睫毛をボリュームアップするためのマスカラとされているが、例えば、アイブロウやヘアマスカラ等の他の液状化粧料であっても良く、種々の液状化粧料を採用できる。
【００１５】
図１〜図４に示すように、液状化粧料容器１００は、ボトルタイプ式の液状化粧料容器であって、液状化粧料Ｌを収容する容器本体１と、この容器本体１に着脱可能に装着された塗布具２と、を概略具備している。
【００１６】
容器本体１は、ここでは、硬い樹脂製又は金属製とされ、液状化粧料Ｌを収容するための収容部３と、この収容部３の上部に一体に連設され容器本体１の一方端を構成する開口頚部４と、を備える。
【００１７】
図２〜図５に示すように、収容部３は、有底楕円筒状に構成されて、その内部に液状化粧料Ｌを収容する。収容部３は、その上部が、上下方向に短尺に延びる形状を呈し、この上部の下から下端までの範囲が、下端に向かうに従い図示左下側（図３及び図５）を向くように湾曲する形状を呈している。
【００１８】
開口頚部４は、収容部３より小径で相似形を成す楕円筒状に構成され収容部３の上部と同軸に配置されると共に、収容部３の上端部の縮径する段差部（肩部）を介して真っ直ぐ上方へ延びるように繋がり、その筒内が収容部３内に連通した状態となっている。
【００１９】
開口頚部４には、図５に示すように、その外周面に、塗布具２を軸線方向に着脱可能に係合するための係合部５が環状に形成される。この環状の係合部５は軸線方向に凹凸が並ぶものである。開口頚部４の外周面の係合部５より下方位置には、気密用のＯリング２０が装着されている。そして、開口頚部４の内周側には、図３及び図４に示すように、塗布具２の後述する塗布部１４及び軸部１３に付着している余分な液状化粧料Ｌを掻き取る（削ぎ落とす）ための楕円筒状の掻き取り部材（掻き取り部）６が取り付けられている。
【００２０】
掻き取り部材６は、図３、図４、図９及び図１０に示すように、有底楕円筒状に構成され、ここでは、ＴＰＵ、ＴＰＥ、ゴム材、軟質ＰＰ、軟質ＰＥ、シリコンゴム等より形成された弾性体である。この掻き取り部材６は、開口頚部４の内周面に当接する楕円筒部７及びこの楕円筒部７に連設され開口頚部４の上面に当接する鍔部８を備えると共に、楕円筒部７の下部外周面から外方に環状に突出し開口頚部４の段差部の内面に当接する突出部９を備える。
【００２１】
また、掻き取り部材６の有底部１０の略中央には、塗布具２の塗布部１４及び軸部１３が通過する掻き取り孔１１が設けられている。この掻き取り孔１１を形成する有底部１０の内周面が、塗布部１４及び軸部１３に付着した余分な液状化粧料Ｌを掻き取る。
【００２２】
掻き取り孔１１は、軸線方向視において非円形形状であり、ここでは、特に図１０に示すように、二等辺三角形様（略二等辺三角形）の形状を呈している。この二等辺三角形様の非円形形状は、図示右側に二等辺三角形の頂点が位置するように配置されている。
【００２３】
このような構成を有する掻き取り部材６は、図３及び図４に示すように、容器本体１の開口頚部４の上方から圧入され、その鍔部８と突出部９との間に開口頚部４を軸線方向に挟むようにして、開口頚部４に装着される。
【００２４】
図２〜図４及び図６に示すように、塗布具２は、容器本体１の開口頚部４に着脱可能に装着されるキャップ１２と、当該キャップ１２の内周面に圧入より連結されると共に収容部３側に延びる軸部１３と、当該軸部１３の先端に設けられた塗布部１４と、を備える。
【００２５】
キャップ１２は、使用者により把持される部分であり、有底楕円筒状に構成されて、有底部が上側に位置する配置とされる。このキャップ１２は、その開口端側の内周面に、開口頚部４の外周面の環状の係合部５に軸線方向に着脱可能に係合する環状の係合部１５を備える。この環状の係合部１５は、軸線方向に凸凹が並ぶものである。そして、キャップ１２は、その係合部１５を容器本体１の係合部５に軸線方向に係合することで、容器本体１に対して着脱可能に装着される。
【００２６】
軸部１３は、キャップ１２内から容器本体１の収容部３側（図示下方）に向かって突出している。この軸部１３は、図３及び図６に示すように、ほぼ上半分が、上下方向に延びる形状を呈し、ほぼ下半分が、下端に向かうに従い図示左下側を向くように湾曲する形状を呈している。この軸部１３は、軸線方向に直交する横断面外周形状が、上記掻き取り孔１１を形成する有底部１０の内周形状（掻き取り孔１１）と相似形を成す非円形形状とされている。従って、ここでは、二等辺三角形様の形状を呈し（図７参照）、掻き取り孔１１より多少大きい相似形となっている。
【００２７】
塗布部１４は、軸部の湾曲形状がそのまま続くように湾曲し、下端に向かうに従い図示左下側を向くように湾曲している。この塗布部１４は、軸部１３と同様な二等辺三角形様の横断面外周形状（図７参照）と、この二等辺三角形様の横断面外周形状から二等辺三角形の二等辺側を削除した外周形状（図８参照）とが、軸線方向に交互に連なる形状となっている。より具体的には、塗布部１４は、軸部の片側（図３の右側）において外側に向かって山型（三角形状）に突出する櫛歯１６を軸線方向に沿って一列に並設した所謂コームとされている。このように、塗布部１４は、その櫛歯１６を片側に有する部分（図７参照）の横断面外周形状が、軸部１３の横断面外周形状と同じであり、上記掻き取り孔１１を形成する有底部１０の内周形状（掻き取り孔１１）と相似形を成す非円形形状とされ、掻き取り孔１１より多少大きい相似形となっている。
【００２８】
このように湾曲した塗布部１４及び当該塗布部１４に連なる軸部１３の下半分の湾曲の曲率は、図３に示すように、容器本体１の収容部３の湾曲の曲率より小さくなっている。
【００２９】
そして、図３及び図４に示すように、塗布具２のキャップ１２の楕円形状を成す内周面と、容器本体１の開口頚部４の楕円形状を成す外周面とが合い、塗布具２のキャップ１２と容器本体１の開口頚部４とが軸線周り回転方向に係合すると共に、キャップ１２の内周面の係合部１５と、開口頚部４の外周面の係合部５とが軸線方向に係合することにより、キャップ１２が容器本体１に着脱可能に装着されている。
【００３０】
この状態で、湾曲した塗布部１４の平面視の向き（図２の左向き）と、湾曲した容器本体１の平面視の向き（図２の左向き）とが合っており、軸部１３は、掻き取り部材６の掻き取り孔１１を通して容器本体１の収容部３内に進入し、塗布部１４は、収容部３に貯留されている液状化粧料Ｌに浸漬した状態となっている。
【００３１】
また、この状態で、塗布部１４の櫛歯１６を有する部分と同様な外周形状を有する軸部１３の非円形の外周形状と、掻き取り部材６の有底部１０の非円形の内周形状（掻き取り孔１１）とは、軸線方向視において合っており、非円形形状同士は、軸線周り回転方向にずれていない。
【００３２】
このように構成された液状化粧料容器１００を使用する場合には、図１〜図４に示す状態から、使用者は、キャップ１２を把持して当該キャップ１２を容器本体１の開口頚部４から引き抜き、係合部５，１５の係合を解除する。
【００３３】
このとき、上述したように、軸部１３及び塗布部１４の非円形の外周形状と掻き取り部材６の有底部１０の非円形の内周形状（掻き取り孔１１）とが軸線方向視において合っているため、軸部１３の上下方向に延びる上半分を掻き取り孔１１に対して無理なく引き抜くことができるのは言うに及ばず、軸部１３の湾曲した下半分及び塗布部１４も、その湾曲の度合いが緩やかなことも相まって、掻き取り孔１１に対して無理なく引き抜くことができ、軸部１３及び塗布部１４を掻き取り孔１１を通して容易に出すことができる。また、このように、軸部１３及び塗布部１４の非円形の外周形状と掻き取り部材６の有底部１０の非円形の内周形状とが軸線方向視において合っているため、掻き取り部材６の有底部１０の内周全体を、軸部１３及び塗布部１４の外周全体に一様に押し当てることができ、弾性体である掻き取り部材６の有底部１０の非円形形状の内周が捲り上げられながら当該内周により、軸部１３及び塗布部１４に付着した余分な液状化粧料Ｌが均等に掻き取られ、塗布部１４において液状化粧料Ｌの付着ムラがなくされることになる。
【００３４】
そして、使用者は、塗布部１４にムラなく付着した液状化粧料Ｌを、当該塗布部１４により被塗布部に塗布する。従って、塗りムラを生じることなく綺麗に塗布できる。
【００３５】
塗布が終わったら、使用者は、湾曲した塗布部１４が正面視において向く側（図３の右側又は左側）と、湾曲した容器本体１が正面視において向く側（図３の右側又は左側）とが、同じ側を向くようにしながら、塗布具２を容器本体１側に下ろしていき、塗布具２の非円形形状の塗布部１４を、容器本体１の掻き取り部材６の非円形形状の掻き取り孔１１に差し込むようにする。
【００３６】
そして、このように非円形形状の塗布部１４を非円形形状の掻き取り孔１１に差し込むことにより、キャップ１２を容器本体１の開口頚部４に対して軸線周り回転方向に位置決めできる。この状態にあっては、湾曲した塗布部１４の平面視の向き（図２の左向き）と、湾曲した容器本体１の平面視の向き（図２の左向き）とが合った状態になっている。
【００３７】
なお、塗布具２のキャップ１２の楕円形状と容器本体１の楕円形状とを軸線方向視（平面視）において概ね合わすようにしながら、塗布具２を容器本体１側に下ろしていき、非円形形状の塗布部１４を、非円形形状の掻き取り孔１１に差し込む方法もある。
【００３８】
但し、この場合には、キャップ１２及び容器本体１の楕円形状同士は、軸線周り回転方向の２つの向き（一の向きと、この一の向きと１８０°反対側の向き）で合わすことができる一方で、二等辺三角形様の非円形形状同士は、軸線周り回転方向の一の向きしか合わない形状であり、非円形形状が互いに反対方向を向いている場合には、非円形形状の塗布部１４が、非円形形状の掻き取り孔１１に差し込めないため、この向きを合わせるべく、キャップ１２と容器本体１の軸線周り回転方向の位置合わせの目印となるマークを、例えば、キャップ１２の外周面及び容器本体１の外周面等にそれぞれ付し、マークを合わせるようにしながら、非円形形状の塗布部１４を非円形形状の掻き取り孔１１に差し込むようにするのが良い。また、マークのみを目印として、非円形形状の塗布部１４を非円形形状の掻き取り孔１１に差し込むようにしても良い。
【００３９】
このように、使用者は、非円形形状の塗布部１４を非円形形状の掻き取り孔１１に対して差し込み、そして通過させて、塗布部１４を液状化粧料Ｌに浸漬させ、続けて、非円形形状の軸部１３を非円形形状の掻き取り孔１１に対して通過させる。
【００４０】
このとき、前述したように、塗布部１４及び軸部１３の非円形の外周形状と掻き取り部材６の有底部１０の非円形の内周形状（掻き取り孔１１）とが軸線方向視において合っているため、塗布部１４及び軸部１３を掻き取り孔１１に対して無理なく押し込むことができ、塗布部１４及び軸部１３を掻き取り孔１１を通して容易に入れることができる。
【００４１】
そして、使用者は、楕円筒状を成すキャップ１２をさらに下降させ、楕円筒状を成す開口頚部４に外挿する。
【００４２】
このとき、前述したように、湾曲した塗布部１４の平面視の向き（図２の左向き）と、湾曲した容器本体１の平面視の向き（図２の左向き）とが合っているため、湾曲した塗布部１４を、湾曲した容器本体１内に容易且つ確実に進入させることができる。
【００４３】
そして、使用者によるキャップ１２の開口頚部４に対する押し込みにより、キャップ１２の係合部１５と開口頚部４の係合部５とが軸線方向に係合し、キャップ１２が容器本体１側に装着され、その結果、湾曲した塗布部１４を、湾曲した容器本体１内に容易且つ確実に収容させることができる。
【００４４】
このように、本実施形態においては、キャップ１２を容器本体１の一方端を構成する開口頚部４に対して着脱するにあたって、キャップ１２を、回転させることなく、押し込み／引き抜いて開口頚部４との軸線方向の係合／解除を行う構成のため、湾曲した塗布部１４を、湾曲した容器本体１内において進退させることができ、収容させることができる。このように湾曲した塗布部１４を収容する容器本体１が、湾曲する形状のため、今までに見たことのない外観を呈し、アイキャッチ効果を高めることができる。
【００４５】
また、軸部１３は湾曲し、塗布部１４は、軸部１３の湾曲形状がそのまま続くように湾曲しているため、軸部１３及び塗布部１４によって大きい湾曲を形成でき、把持部としてのキャップ１２を持つ手が、従来（特開２００６−２７１４７７号公報）のようなブラシ部のほぼ延長線上に位置しブラシ部とほぼ同じ高さに位置する場合に比して、下方に位置することになり、鏡を見ながらの塗布が容易となる。
【００４６】
また、一の向きでしか合わない塗布部１４の非円形の外周形状と掻き取り孔１１を形成する掻き取り部材６の非円形の内周形状とが、合った状態においては、塗布部１４を掻き取り孔１１に無理なく通すことができ、従って、塗布部１４を掻き取り孔１１に通すことによって、キャップ１２を開口頚部４に対して軸線周り回転方向に容易に位置決めでき、この状態で、湾曲した塗布部１４の平面視の向きと、湾曲した容器本体１の平面視の向きとが合っているため、湾曲した塗布部１４を、湾曲した容器本体１内に容易且つ確実に進入させ収容させることができる。また、上述のように、非円形形状同士が合った状態で、塗布部１４を掻き取り孔１１に対して通過させるため、掻き取り部材６の内周全体を塗布部１４の外周全体に一様に押し当てることができ、塗布部１４に付着した余分な液状化粧料Ｌを均等に掻き取り、液状化粧料Ｌの付着ムラをなくすことができる。
【００４７】
以上、本発明をその実施形態に基づき具体的に説明したが、本発明は上記実施形態に限定されるものではなく、例えば、上記実施形態においては、キャップ１２及び容器本体１を楕円筒状としているが、円筒状や角筒状とすることも可能である。
【００４８】
また、容器本体１の開口頚部４に対してキャップ１２を軸線周り回転方向に係合させ回転方向の位置決めができる係合部を、容器本体１及びキャップ１２にそれぞれ設けるようにしても良い。
【００４９】
また、上記実施形態においては、掻き取り孔１１を有する掻き取り部材６を、容器本体１の開口頚部４の内周側に装着するようにしているが、開口頚部４の例えば底部を内側に張り出して掻き取り部とし、この掻き取り部の中心に掻き取り孔１１を設けるようにしても良い。また、上記実施形態においては、容器本体１の開口頚部４は、収容部３に段差部を介して連設される小径部とされているが、段差部をなくして開口頚部４を収容部３と同一形状とし、一方端に単なる開口部を有する有底筒状の容器本体としても良い。
【００５０】
また、上記実施形態においては、塗布部１４及び掻き取り孔１１の非円形形状を、非円形形状同士を軸線周り回転方向に合わせる際に、軸線周り回転方向の一の向きしか合わない形状である二等辺三角形様としているが、軸線周り回転方向の一の向きしか合わない他の非円形形状として、例えば、しずく形状や台形形状等を採用することもできる。また、塗布部及び掻き取り孔の非円形形状を、軸線周り回転方向の複数の向きで合う非円形形状とすることも可能であり、例えば、楕円形状や正多角形形状や星形形状等を採用することができる。この場合、非円形形状同士が合った状態で、湾曲した塗布部１４の平面視の向きと、湾曲した容器本体１の平面視の向きとが合うように、軸線周り回転方向の位置合わせの目印となるマークを、例えば、キャップ１２の外周面及び容器本体１の外周面等にそれぞれ付しておくのが好ましい。
【００５１】
また、上記実施形態においては、塗布部１４の櫛歯１６を含む部分の横断面形状と軸部１３の横断面形状が同一形状とされているが、異形状であっても良く、軸部１３を例えば断面円形等の異形状とすることもできる。
【００５２】
また、上記実施形態においては、塗布部１４を、櫛歯１６を有するコームとしているが、全周に毛が付いているブラシや、他のコームや、チップ等とすることもできる。
【符号の説明】
【００５３】
１…容器本体、２…塗布具、４…開口頚部（開口部）、５，１５…係合部、６…掻き取り部材（掻き取り部）、１１…掻き取り孔、１２…キャップ、１３…軸部、１４…塗布部、１００…液状化粧料容器、Ｌ…液状化粧料。
【図１】
0006500220.tif 000002
【図２】
0006500220.tif 000003
【図３】
0006500220.tif 000004
【図４】
0006500220.tif 000005
【図５】
0006500220.tif 000006
【図６】
0006500220.tif 000007
【図７】
0006500220.tif 000008
【図８】
0006500220.tif 000009
【図９】
0006500220.tif 000010
【図１０】
0006500220.tif 000011